(57)【要約】      （修正有）【課題】求職者と採用企業側とを、設定の自由度の高い入札条件に基づいたオークション方式によりマッチングし、入札後、面接設定、面接、最終条件提示、内定、入社に至るまでのステータスを管理し、可視化して採用企業等に提示するサーバ装置を提供する。【解決手段】人材オークションシステムにおいて、サーバ装置１は、採用企業の端末装置から検索に係るリクエストを受け付ける受付部１１ａと、求職者の前記採用企業に対する条件適合率を算出する条件適合率算出部１１ｃと、条件適合率算出部により算出された前記条件適合率に基づいて、採用企業の採用条件に合致する求職者を選定する選定部１１ｄと、選定した求職者の情報を含むデータを生成する生成部１１ｅと、データを採用企業の端末装置に送信する送信部１１ｆとを備える。【選択図】図２
2020126399.tif 000002
【特許請求の範囲】
【請求項１】
求職者の端末装置及び採用企業の端末装置と通信するサーバ装置であって、
前記採用企業の端末装置から検索に係るリクエストを受け付ける受付部と、
前記採用企業の採用条件に合致する求職者を選定する選定部と、
前記選定した求職者の情報を含むデータを生成する生成部と、
前記データを前記採用企業の端末装置に送信する送信部と、を備えた
サーバ装置。
【請求項２】
求職者の端末装置及び採用企業の端末装置と通信するサーバ装置であって、
前記採用企業の端末装置から検索に係るリクエストを受け付ける受付部と、
前記求職者の前記採用企業に対する条件適合率を算出する条件適合率算出部と、
前記条件適合率算出部により算出された前記条件適合率に基づいて、前記採用企業の採用条件に合致する求職者を選定する選定部と、
前記選定した求職者の情報を含むデータを生成する生成部と、
前記データを前記採用企業の端末装置に送信する送信部と、を備えた
サーバ装置。
【請求項３】
前記採用企業の端末装置による入札を処理する入札処理部と、
前記入札に係る入札情報を記憶する記憶部と、
前記入札の進捗状況に係るステータスを管理する管理部と、を更に備え、
前記受付部は、前記採用企業の端末装置からの入札に係るリクエストを受付け、前記管理部は、面接設定中、面接中、最終条件提示中、及び内定を含むステータスを管理し、前記生成部は、前記ステータスを可視化するデータを生成し、前記送信部は前記可視化するデータを前記採用企業の端末装置に送信する
請求項１又は請求項２に記載のサーバ装置。
【請求項４】
前記受付部は、前記採用企業の端末装置からの前記ステータスの更新に係るリクエストを受付け、前記管理部は、前記リクエストに応じて前記ステータスを更新し管理する
請求項３に記載のサーバ装置。
【請求項５】
前記記憶部に記憶されている前記入札情報には、前記採用企業の端末装置で任意に定め入力された項目に係る定性的な情報も含まれている
請求項３に記載のサーバ装置。
【請求項６】
前記管理部は、前記採用企業の端末装置による入札の入札期間も管理しており、
前記送信部は、前記入札期間が経過すると、交渉を促す電子メールを送信する
請求項１乃至請求項５のいずれか１項に記載のサーバ装置。
【請求項７】
前記求職者の端末装置での入力を支援する入力支援部を更に備え、
前記入力支援部は、前記求職者の端末装置でのキャリアシートの作成に際して、予め体系的に定められた入力項目を選定し、提示する
請求項１乃至請求項６のいずれか１項に記載のサーバ装置。
【請求項８】
求職者の端末装置と、採用企業の端末装置と、サーバ装置とで構成される人材オークションシステムであって、
前記サーバ装置は、
前記採用企業の端末装置から検索に係るリクエストを受け付ける受付部と、
前記採用企業の採用条件に合致する求職者を選定する選定部と、
前記選定した求職者の情報を含むデータを生成する生成部と、
前記データを前記採用企業の端末装置に送信する送信部と、を備えた
人材オークションシステム。
【請求項９】
求職者の端末装置と、採用企業の端末装置と、サーバ装置とで構成される人材オークションシステムであって、
前記サーバ装置は、
前記採用企業の端末装置から検索に係るリクエストを受け付ける受付部と、
前記求職者の前記採用企業に対する条件適合率を算出する条件適合率算出部と、
前記条件適合率算出部により算出された前記条件適合率に基づいて、前記採用企業の採用条件に合致する求職者を選定する選定部と、
前記選定した求職者の情報を含むデータを生成する生成部と、
前記データを前記採用企業の端末装置に送信する送信部と、を備えた
人材オークションシステム。
【請求項１０】
前記サーバ装置は、
前記採用企業の端末装置による入札を処理する入札処理部と、
前記入札に係る入札情報を記憶する記憶部と、
前記入札の進捗状況に係るステータスを管理する管理部と、を更に備え、
前記受付部は、前記採用企業の端末装置からの入札に係るリクエストを受付け、前記管理部は、面接設定中、面接中、最終条件提示中、及び内定を含むステータスを管理し、前記生成部は、前記ステータスを可視化するデータを生成し、前記送信部は前記可視化するデータを前記採用企業の端末装置に送信する
請求項８又は請求項９に記載の人材オークションシステム。
【請求項１１】
前記受付部は、前記採用企業の端末装置からの前記ステータスの更新に係るリクエストを受付け、前記管理部は、前記リクエストに応じて前記ステータスを更新し管理する
請求項８乃至請求項１０のいずれか１項に記載の人材オークションシステム。
【請求項１２】
前記記憶部に記憶されている前記入札情報には、前記採用企業の端末装置で任意に定め入力された項目に係る定性的な情報も含まれている
請求項１０に記載の人材オークションシステム。
【請求項１３】
前記管理部は、前記採用企業の端末装置による入札の入札期間も管理しており、
前記送信部は、前記入札期間が経過すると、交渉を促す電子メールを送信する
請求項８乃至請求項１２のいずれか１項に記載の人材オークションシステム。
【請求項１４】
前記サーバ装置は、
前記求職者の端末装置での入力を支援する入力支援部を更に備え、
前記入力支援部は、前記求職者の端末装置でのキャリアシートの作成に際して、予め体系的に定められた入力項目を選定し、提示する
請求項８乃至請求項１３のいずれか１項に記載の人材オークションシステム。
【請求項１５】
求職者の端末装置と、採用企業の端末装置と、サーバ装置とで構成される人材オークションシステムによる人材オークション方法であって、
前記サーバ装置が、
前記採用企業の端末装置から検索に係るリクエストを受け付け、
前記採用企業の採用条件に合致する求職者を選定し、
前記選定した求職者の情報を含むデータを生成し、
前記データを前記採用企業の端末装置に送信する
人材オークション方法。
【請求項１６】
求職者の端末装置と、採用企業の端末装置と、サーバ装置とで構成される人材オークションシステムによる人材オークション方法であって、
前記サーバ装置が、
前記採用企業の端末装置から検索に係るリクエストを受け付け、
前記求職者の前記採用企業に対する条件適合率を算出し、
前記条件適合率算出部により算出された前記条件適合率に基づいて、前記採用企業の採用条件に合致する求職者を選定し、
前記選定した求職者の情報を含むデータを生成し、
前記データを前記採用企業の端末装置に送信する
人材オークション方法。
【請求項１７】
求職者の端末装置及び採用企業の端末装置と通信するサーバ装置で実行されるプログラムであって、
前記サーバ装置を、
前記採用企業の端末装置から検索に係るリクエストを受け付ける受付部と、
前記採用企業の採用条件に合致する求職者を選定する選定部と、
前記選定した求職者の情報を含むデータを生成する生成部として機能させる
プログラム。
【請求項１８】
求職者の端末装置及び採用企業の端末装置と通信するサーバ装置で実行されるプログラムであって、
前記サーバ装置を、
前記採用企業の端末装置から検索に係るリクエストを受け付ける受付部と、
前記求職者の前記採用企業に対する条件適合率を算出する条件適合率算出部と、
前記条件適合率算出部により算出された前記条件適合率に基づいて、前記採用企業の採用条件に合致する求職者を選定する選定部と、
前記選定した求職者の情報を含むデータを生成する生成部として機能させる
プログラム。
【発明の詳細な説明】
【技術分野】
【０００１】
本発明は、求職者と採用企業側とを採用企業側が設定した入札情報に基づいてオークション方式によりマッチングする技術に関する。
【背景技術】
【０００２】
従来、人材流動化が激化する中、採用企業側は、自社のＨＰや求人サイト等、各種態様で求人広告を打ち出している。求職者は、そのような求人サイトを閲覧し、自身の希望条件と合致する求人を選定して、当該求人に応募することになる。また、最近では、採用企業と求職者との間でオークションを行い、採用企業と求職者とのマッチングを図る技術も種々提案されている。
【０００３】
例えば、特許文献１では、インターネットを介して労働力提供企業と求人企業との間で労働力の提供に係るオークションを行うネットオークションシステムであって、労働力提供企業が提示したワークシェア情報が記録されたワークシェア情報データベースと、求人企業が提示した求人情報が記録された求人情報ＤＢと、オークション結果に関する情報を記録するオークションＤＢと、ウェブサーバと、管理サーバとを備えて構成されたネットオークションシステムが開示されている。
【０００４】
さらに、特許文献２では、雇用オークションシステムを、インターネットを通して相互に交信が可能な求職者端末とサーバと企業端末とを備えて構成し、求職者端末から能力データをオークションに掛けて企業端末から雇用条件データを入札し、企業端末から雇用条件データをオークションに掛けて求職者端末から能力データを入札できるようにした雇用オークションシステムが開示されている。
【先行技術文献】
【特許文献】
【０００５】
【特許文献１】特開２００９−８６９４０号公報
【特許文献２】特開２００３−１７３３９９号公報
【発明の概要】
【発明が解決しようとする課題】
【０００６】
しかしながら、特許文献１，２に開示された技術では、求職者と採用企業側とを、画一的な条件の比較等でマッチングしており、設定の自由度の高い入札情報に基づいたオークション方式によりマッチングすることは実現されていない。
【０００７】
さらに、入札後の、面接設定、面接、最終条件提示、内定、入社に至るまでのステータスを管理し、可視化して採用企業等に提示することはできない。
【０００８】
本発明は、このような課題に鑑みてなされたものであり、その目的とするところは、求職者と採用企業側とを、設定の自由度の高い入札情報等に基づいたオークション方式等によりマッチングすることにある。
【０００９】
さらに、入札等の後、面接設定、面接、最終条件提示、内定、入社等に至るまでのステータスを管理し、可視化して採用企業等に提示することにある。
【課題を解決するための手段】
【００１０】
上記課題を解決するため、本発明の第１の態様に係るサーバ装置は、求職者の端末装置及び採用企業の端末装置と通信するサーバ装置であって、前記採用企業の端末装置から検索に係るリクエストを受け付ける受付部と、前記採用企業の採用条件に合致する求職者を選定する選定部と、前記選定した求職者の情報を含むデータを生成する生成部と、前記データを前記採用企業の端末装置に送信する送信部と、を備えている。
【００１１】
本発明の第２の態様に係るサーバ装置は、求職者の端末装置及び採用企業の端末装置と通信するサーバ装置であって、前記採用企業の端末装置から検索に係るリクエストを受け付ける受付部と、前記求職者の前記採用企業に対する条件適合率を算出する条件適合率算出部と、前記条件適合率算出部により算出された前記条件適合率に基づいて、前記採用企業の採用条件に合致する求職者を選定する選定部と、前記選定した求職者の情報を含むデータを生成する生成部と、前記データを前記採用企業の端末装置に送信する送信部と、を備えている。
【００１２】
本発明の第３の態様に係る人材オークションシステムは、求職者の端末装置と、採用企業の端末装置と、サーバ装置とで構成される人材オークションシステムであって、前記サーバ装置は、前記採用企業の端末装置から検索に係るリクエストを受け付ける受付部と、前記採用企業の採用条件に合致する求職者を選定する選定部と、前記選定した求職者の情報を含むデータを生成する生成部と、前記データを前記採用企業の端末装置に送信する送信部と、を備えている。
【００１３】
本発明の第４の態様に係る人材オークションシステムは、求職者の端末装置と、採用企業の端末装置と、サーバ装置とで構成される人材オークションシステムであって、前記サーバ装置は、前記採用企業の端末装置から検索に係るリクエストを受け付ける受付部と、前記求職者の前記採用企業に対する条件適合率を算出する条件適合率算出部と、前記条件適合率算出部により算出された前記条件適合率に基づいて、前記採用企業の採用条件に合致する求職者を選定する選定部と、前記選定した求職者の情報を含むデータを生成する生成部と、前記データを前記採用企業の端末装置に送信する送信部と、を備えている。
【００１４】
本発明の第５の態様に係る人材オークション方法は、求職者の端末装置と、採用企業の端末装置と、サーバ装置とで構成される人材オークションシステムによる人材オークション方法であって、前記サーバ装置が、前記採用企業の端末装置から検索に係るリクエストを受け付け、前記採用企業の採用条件に合致する求職者を選定し、前記選定した求職者の情報を含むデータを生成し、前記データを前記採用企業の端末装置に送信する。
【００１５】
本発明の第６の態様に係る人材オークション方法は、求職者の端末装置と、採用企業の端末装置と、サーバ装置とで構成される人材オークションシステムによる人材オークション方法であって、前記サーバ装置が、前記採用企業の端末装置から検索に係るリクエストを受け付け、前記求職者の前記採用企業に対する条件適合率を算出し、前記条件適合率算出部により算出された前記条件適合率に基づいて、前記採用企業の採用条件に合致する求職者を選定し、前記選定した求職者の情報を含むデータを生成し、前記データを前記採用企業の端末装置に送信する。
【００１６】
本発明の第７の態様に係るプログラムは、求職者の端末装置及び採用企業の端末装置と通信するサーバ装置で実行されるプログラムであって、前記サーバ装置を、前記採用企業の端末装置から検索に係るリクエストを受け付ける受付部と、前記採用企業の採用条件に合致する求職者を選定する選定部と、前記選定した求職者の情報を含むデータを生成する生成部として機能させる。
【００１７】
本発明の第８の態様に係るプログラムは、求職者の端末装置及び採用企業の端末装置と通信するサーバ装置で実行されるプログラムであって、前記サーバ装置を、前記採用企業の端末装置から検索に係るリクエストを受け付ける受付部と、前記求職者の前記採用企業に対する条件適合率を算出する条件適合率算出部と、前記条件適合率算出部により算出された前記条件適合率に基づいて、前記採用企業の採用条件に合致する求職者を選定する選定部と、前記選定した求職者の情報を含むデータを生成する生成部として機能させる。
【発明の効果】
【００１８】
本発明によれば、求職者と採用企業側とを、設定の自由度の高い入札情報等に基づいたオークション方式等によりマッチングする技術を提供することができる。
【００１９】
さらに、入札等の後、面接設定、面接、最終条件提示、内定、入社等に至るまでのステータスを管理し、可視化して採用企業等に提示する技術を提供することができる。
【図面の簡単な説明】
【００２０】
【図１】本発明の一実施形態に係る人材オークションシステムの構成図である。
【図２】同システムのサーバ装置の構成図である。
【図３】同システムの端末装置の構成図である。
【図４】同システムによる入札に係る処理手順を示すフローチャートである。
【図５】トップページの画面表示例である。
【図６】求職者検索ページの画面表示例である。
【図７】入札情報入力画面の画面表示例である。
【図８】入札情報入力画面の画面表示例である。
【図９】アプローチ一覧（面接依頼の履歴）の画面表示例である。
【図１０】アプローチ一覧（入札履歴）の画面表示例である。
【図１１】選考中一覧の画面表示例である。
【発明を実施するための形態】
【００２１】
以下、図面を参照しつつ本発明の一実施形態について説明する。
【００２２】
図１には、本発明の一実施形態に係る人材オークションシステムの構成を示し説明する。
【００２３】
同図に示されるように、人材オークションシステムは、サーバ装置１と、求職者の端末装置２と、採用企業の端末装置３とを含む。サーバ装置１と、求職者の端末装置２と、採用企業の端末装置３は、インターネット等の通信網４を介して、無線又は通信で接続されている。求職者の端末装置２、採用企業の端末装置３としては、スマートフォン、タブレット端末、ＰＤＡ（Personal Digital Assistant）、ノート型パーソナルコンピュータ（以下、ＰＣという）等、各種のものを採用することができる。
【００２４】
このような構成において、求職者の端末装置２から、エントリシートの情報が送信されると、サーバ装置１は、求職者登録を行う。採用企業の端末装置３から、企業の属性情報等が送信されると、サーバ装置１は、採用企業登録を行う。
【００２５】
採用企業の端末装置３は、サーバ装置１の提供するＷｅｂサイトを閲覧することが可能であり、求職者の検索を行うこともできる。サーバ装置１は、採用企業の端末装置３から検索のリクエストを受け付けると、条件適合率を算出し、当該採用企業に好適な求職者を選定し、採用企業の端末装置３に選定された求職者のデータを送信する。このデータはＨＴＭＬ形式等で生成され、送信されてよい。
【００２６】
採用企業の端末装置３にて、入札情報の入力又は選択がなされ、所定の求職者に対する入札が行われると、サーバ装置１は、入札処理を行う。この入札の有無については、求職者の端末装置２で、サーバ装置１の提供するＷｅｂサイトにアクセスすることで適宜参照することが可能である。ここで、「入札」という概念には、単なる条件提示のリクエストも含まれることは勿論である。サーバ装置１は、この入札の後、進捗に係るステータスを管理しており、採用企業の端末装置３の操作を受け手、当該ステータスを適宜更新する。この入札後の進捗に係るステータスは、サーバ装置１側で、ＨＴＭＬ形式等で可視化可能なデータとされるので、採用企業の端末装置３側で適宜参照可能である。
【００２７】
一方、求職者の端末装置２では、エントリシートに係る情報の入力又は選択を行うことになるが、サーバ装置１は、入力画面を端末装置２に提示するときに、予め体系立てられた項目の関連性に基づいて、求職者に好適な選択項目を順次提示する。例えば、過去の職歴として「ソフトウェア開発」との入力又は選択がなされた場合には、取得資格の入力を促すときに、「情報処理技術者試験」に係る資格の取得有無の入力又は選択を促すようにして入力が簡易且つ好適なものとなるように支援する。
【００２８】
以上に加えて、サーバ装置１では、入札期間も管理しており、オークションに対して入札が入り、そのオークション期間が終了すると、入札をした全ての企業と交渉期間に入ることになる。なお、交渉期間中は面接依頼を受け付けることが出来ず、入札をした企業との連絡に集中することができる。
【００２９】
図２には、人材オークションシステムにおけるサーバ装置の構成を示し説明する。
【００３０】
同図に示されるように、サーバ装置１は、装置全体の制御を司る制御部１１を備えており、制御部１１は、通信部１２、記憶部１３と接続されている。制御部１１は、ＣＰＵ（Central Processing Unit）やＭＰＵ（Micro Processing Unit）等で構成されている。
【００３１】
通信部１２は、例えば、ネットワークインタフェースカード（NIC；Network Interface Card）等により実現されるもので、インターネット等の通信網４と有線又は無線で接続され、端末装置２、３等との間で通信を行う通信インタフェースである。
【００３２】
記憶部１３は、例えば、ＲＡＭ（Random Access Memory）やフラッシュメモリ（Flash Memory）等の半導体メモリ素子、ハードディスクドライブ（HDD；Hard Disc Drive）、又は光ディスク装置等で実現されるもので、制御部１１で実行されるプログラムを予め記憶している。記憶部１３は、求職者情報記憶部１４と、採用企業情報記憶部１５と、及び入札情報記憶部１６とを有する。
【００３３】
求職者情報記憶部１４では、第１のテーブルにおいて、求職者ＩＤと紐づけて、求職者の氏名、年齢、最終学歴、転職回数、経験業種、希望年収、希望勤務地等の情報が記憶されている。さらに、求職者情報記憶部１４では、第２のテーブルにおいて、求職者ＩＤと紐づけて、入札情報を特定する入札ＩＤが記憶されている。入札が複数ある場合には、全ての入札に係る各入札ＩＤが求職者ＩＤと紐づけられて記憶されている。
【００３４】
採用企業情報記憶部１５では、第３のテーブルにおいて、採用企業ＩＤと紐づけて、採用企業の名称、所在地、業種、企業規模等の属性情報が記憶されている。さらに、採用企業情報記憶部１５では、第４のテーブルにおいて、採用企業ＩＤと紐づけて、入札情報を特定する入札ＩＤが記憶されている。入札が複数ある場合には、全ての入札に係る各入札ＩＤが採用企業ＩＤと紐づけられて記憶されている。このほか、採用企業ＩＤと紐づけて月額の利用金額も記憶されてよい。この場合、面接依頼を承諾された場合には、例えば１５０００円、入札に承諾された場合には、例えば５００００円といった決められた金額が月額の利用金額に加算され更新される。採用企業側には、月額の利用金額が所定金額（例えば20万円）を超えた場合には、その旨を知らしめる電子メールが送られる。
【００３５】
入札情報記憶部１６では、第６のテーブルにおいて、入札ＩＤと紐づけて、入札情報が記憶されている。ここで、入札情報には、想定年収、勤務地、職種、雇用形態、具体的な業務内容、給与条件、勤務時間、休日・休暇、待遇・福利厚生、役職・職位、マネジメント規模、アピールポイント等が含まれる。アピールポイントとは、採用企業側が任意に設定できる項目であり、例えば、この採用条件の特徴、やりがい、その他のアピールポイント等を自由に登録することが可能である。記憶部１３に記憶されている入札情報には、採用企業の端末装置３で任意に定め入力された項目（例えば、アピールポイント等）に係る定性的な情報も含まれている。
【００３６】
また、入札情報記憶部１６では、第７のテーブルにおいて、入札ＩＤと紐づけて、入札後の両者間のやりとり等に係る進捗のステータス情報、選考状況に係る情報を記憶している。このステータス情報としては、面接依頼、又は入札に対して、未対応（未読）、未対応（既読）、承諾、辞退、期限切れが含まれる。選考状況に係る情報には、面接設定中、面接中、最終条件提示中、内定、入社等が含まれる。
【００３７】
このような構成において、制御部１１は、記憶部１３のプログラムを読み出し実行することで、受付部１１ａ、入札処理部１１ｂ、条件適合率算出部１１ｃ、選定部１１ｄ、生成部１１ｅ、送信部１１ｆ、管理部１１ｇ、及び入力支援部１１ｈとして機能する。
【００３８】
受付け部１１ａは、採用企業の端末装置３から検索、入札、ステータスの更新等に係る各種リクエストを受け付ける。入札処理部１１ｂは、採用企業の端末装置３による入札を処理し、入札情報を記憶部１３に記憶する。条件適合率算出部１１ｃは、検索リクエスト等をした採用企業に対する求職者の条件適合率を算出する。例えば、条件適合率算出部１１ｃは、記憶部１３に記憶されている求職者情報と入札情報との合致度に基づいて条件適合率を算出してもよい。このとき、採用企業側が重視する項目については、重み付け係数を大きくするなどし、より精度高く条件適合率を求めるようにしてもよい。
【００３９】
選定部１１ｄは、条件適合率算出部１１ｃにより算出された条件適合率に基づいて、採用企業の採用条件に合致する求職者を選定する。生成部１１ｅは、選定部１１ｄが選定した求職者の情報を含むデータをＨＴＭＬ形式等で生成する。送信部１１ｆは、このＨＴＭＬデータを、通信部１２を介して採用企業の端末装置３に送信する。
【００４０】
管理部１１ｇは、入札の進捗状況に係るステータスを管理する。より詳細には、管理部１１ｇは、例えば、面接設定中、面接中、最終条件提示中、内定、及び入社を含むステータスを管理し、生成部１１ｅは、ステータスを可視化するＨＴＭＬデータを生成し、送信部１１ｆは、このＨＴＭＬデータを、通信部１２を介して採用企業の端末装置３に送信する。また、管理部１１ｇは、採用企業の端末装置３による入札に係る入札期間の経過等も管理しており、送信部１１ｆは、入札期間が経過すると、オークションを開催した求職者とそのオークションに入札した企業（辞退されていない）が交渉期間に入る。その際、システム側からは、「入札期間が終了したからその後の対応をしてください」という旨のお知らせに係る電子メールが双方に送られる。その後、双方でメッセージのやり取りを実施することが可能となる。
【００４１】
以上に加えて、入力支援部１１ｈは、求職者の端末装置２での入力を支援する。より具体的には、入力支援部１１ｈは、求職者の端末装置２でのキャリアシートの作成に際して予め体系的に定められた入力項目を選定し、提示することで入力を簡便なものとするとともに、情報収集の精度を高める。
【００４２】
入力支援部１１ｈは、例えば、経験職種で、「ソフトウェア開発」が入力又は選択された場合には、経験スキル・経験内容を選択項目として提示する。例えば、ソフトウェア・ネットワーク関連を経験職種として選択した場合、「Java（登録商標）」「PHP」などの経験スキルや「要件定義」「詳細設計」などの経験内容が提示される。
【００４３】
図３には、人材オークションシステムにおける端末装置の構成を示し説明する。
【００４４】
同図に示されるように、端末装置２（又は３）は、制御部２１と、通信部２２と、操作部２３と、表示部２４と、記憶部２５とを有する。各部２１〜２５は、バスを介して通信自在に接続されている。通信部２２は、例えば、ＮＩＣ等により実現されるもので、インターネット等の通信網４と有線又は無線で接続され、サーバ装置１等との間で通信を行う通信インタフェースである。
【００４５】
操作部２３は、マウスやキーボード等で実現されており、ユーザによる各種操作入力を受け付ける。表示部２４は、液晶ディスプレイ等により実現され、各種表示を行う。操作部２３と表示部２４とをタッチパネルとして一体に構成してもよい。記憶部２５は、例えば、ＲＡＭやフラッシュメモリ等の半導体メモリ素子、ＨＤＤ、または光ディスク装置等で実現されるもので、制御部２１で実行されるプログラムを記憶している。なお、制御部１１は、ＡＳＩＣやＦＰＧＡ等の集積回路で構成されてよい。
【００４６】
このような構成において、制御部２１は、例えば、ＣＰＵやＭＰＵ等で実現され、記憶部２５に記憶されているプログラムを実行することで、送信部２１ａ、受信部２１ｂ、及び閲覧部２１ｃとして機能する。
【００４７】
送信部２１ａは、検索や入札等に係る各種リクエストをサーバ装置１に送信する。受信部２１ｂは、サーバ装置１から送信されてきたＨＴＭＬ形式等のデータ、コンテンツを受信する。そして、閲覧部２１ｃは、受信部２１ｂが受信したコンテンツ等を表示部２４に表示することで閲覧可能とする。
【００４８】
以下、図４のフローチャートを参照して、人材オークションシステムによる入札に係る処理手順を詳細に説明する。ここでは、図５乃至図１１の画面表示例を適宜参照する。
【００４９】
採用企業の端末装置３では、図５に示されるようなＷｅｂサイトのトップページ１００を閲覧することができる。この例では、領域１００ａには、採用企業に好適な求職者の一覧が示され、領域１００ｂには検索指示ボタンが示され、領域１００ｃには、求職者からの新着メッセージと当該求職者に対する活動の進捗が示され、領域１００ｄには、面接依頼の各段階（アプローチ中、面接設定中、面接中、内定、入社等）に至っている案件の件数、及びオークションの各段階（アプローチ中、面接設定中、面接中、最終条件提示、内定、入社）に至っている案件の件数が示され、領域１００ｅには、検索履歴が示されている。これは、一例であって、これには限定されない。
【００５０】
このトップページ１００において、操作部２３の操作により、検索指示ボタン１００ｂが選択されると、端末装置３の送信部２１ａは、検索リクエストをサーバ装置１に送信する（Ｓ１）。サーバ装置１では、受付部１１ａが、検索リクエストを受付け（Ｓ２）、条件適合率算出部１１ｃがリクエスト主体である採用企業と求職者の条件適合率を算出する（Ｓ３）。そして、選定部１１ｄが、条件適合率に基づいて、リクエスト主体である採用企業に好適な求職者を選定する（Ｓ４）。そして、生成部１１ｅが、選定された求職者のデータを含むＨＴＭＬデータを生成し、送信部１１ｆが、当該ＨＴＭＬデータを、通信部１２を介して採用企業の端末装置３に送信する（Ｓ５）。
【００５１】
採用企業の端末装置３では、ＨＴＭＬデータを受信部２１ｂが受信し、閲覧部２１ｃが表示部２４に当該ＨＴＭＬデータに基づく表示を行う（Ｓ６）。この表示画面の一例は図６に示される通りである。画面１０１では、検索結果として、採用企業に好適な求職者の年齢、性別、最終学歴、転職回数、経験職種、経験業種、希望年収、希望勤務地等の情報が示される。画面１０１の領域１０１ａには、オークション期限、既入札件数、入札条件（この例では、最低希望年収）が示される。領域１０１ａの下には、入札の申し込みを行うための入札ボタン１０１ｂが設けられている。
【００５２】
端末装置３では、操作部２３の操作により、画面１０１の入札ボタン１０１ｂが選択されると（Ｓ７をＹｅｓに分岐）、入札情報入力画面を表示部２４に表示し、入札情報の入力を行う（Ｓ８）。入札情報入力画面の一例は、図７、図８に示される通りである。画面１０２の領域１０２ａでは想定年収を入力する。領域１０２ｂでは、勤務地を入力する。領域１０２ｃでは、職種を入力する。これら領域１０２ａ乃至１０２ｃでは、採用企業が提示する条件と求職者が設定している条件が対比して示される。
【００５３】
画面１０２の領域１０２ｄでは、雇用形態を入力する。領域１０２ｅでは、具体的な業務内容をテキスト入力する。領域１０２ｆでは、給与条件をテキスト入力する。領域１０２ｇでは、勤務時間をテキスト入力する。領域１０２ｈでは、休日・休暇をテキスト入力する。領域１０２ｉでは、待遇・福利厚生をテキスト入力する。領域１０２ｉでは、役職・職位を選択する。領域１０２ｋでは、マネジメント規模を選択する。そして、領域１０２ｌでは、求職者からの質問に対する回答をテキスト入力する。
【００５４】
領域１０２ｍ〜１０２ｏでは、求職者へのアピールポイントを任意に設定できるようになっている。アピールポイントは、採用企業側で任意に項目を定めて自由に設定することができるが、この例では、領域１０２ｍでは、この採用条件の特徴が選択され、領域１０２ｎでは、やりがいが選択され、領域１０２ｏでは、その他のアピールポイントが入力される。以上のほか、領域１０２ｐでは、この求職者が承諾した場合の請求金額が示されている。最下段の入札を進めるボタン１０２ｇが選択されると、確認画面の表示の後、送信部２１ａが入札情報をサーバ装置１に送信する（Ｓ９）。
【００５５】
サーバ装置１では、採用企業の端末装置３からの入札情報を受付部１１ａが受付け、入札処理部１１ｂが入札処理を行い、入札情報を、入札した採用企業の採用企業ＩＤと求職者の求職者ＩＤと紐づけて、記憶部１３の入札情報記憶部１６に登録する（Ｓ１１）。これ以降、管理部１１ｇが、入札に係るステータスの管理を行い、両者間のやりとりに進展があった場合には、適宜、ステータスを更新する。このステータスも、入札情報記憶部１６に記憶されているのは、前述した通りである。
【００５６】
このように、管理部１１ｇが、入札に係る両者間のやり取りなどの進捗をステータスとして管理しているので、採用企業側は、端末装置３で、アプローチ一覧や、選考中一覧を適宜閲覧することが可能である。
【００５７】
図９は、アプローチ一覧画面（面接依頼の履歴）１０３の一例を示す図である。アプローチ一覧画面（面接依頼の履歴）１０３では、領域１０３ａにおいて絞り込み条件を設定できるようになっている。この例では、開封・対応状況、会員Ｎｏ、面接依頼日を任意に設定し、絞り込みを行うことができる。その下の領域１０３ｂでは、アプローチ一覧が表示される。この例では、面接依頼の送信日時、開封・対応状況、会員Ｎｏ、キャリアシート、及び提示した年収が一覧中に示されているが、これには限定されない。
【００５８】
図１０は、アプローチ一覧画面（入札履歴）１０４の一例を示す図である。アプローチ一覧画面（入札履歴）１０４では、領域１０４ａにおいて絞り込み条件を設定できるようになっている。この例では、開封・対応状況、会員Ｎｏ、面接依頼日を任意に設定し、絞り込みを行うことができる。領域１０４ｂでは、アプローチ一覧が表示される。この例では、入札した日時、開封・対応状況、会員Ｎｏ、キャリアシート、提示した年収、オークション状況が一覧中に示されているが、これには限定されない。
【００５９】
図１１は、選考中一覧画面１０５の一例を示す図である。この選考中一覧画面１０５では、領域１０５ａにおいて絞り込み条件を設定できるようになっている。この例では、氏名、開封・対応状況、流入経路を任意に設定し、絞り込みを行うことができる。領域１０５ｂでは、選考中一覧が表示される。この例では、承諾日時、求職者情報、キャリアシート、選考状況、及び次のアクションを進めるための操作ボタンが表示される。選考状況はてゲージ表示もされるので、一目で進捗状況を確認することができる。更に、操作ボタンとしては、選考状況を加味して、次のアクションを特定し、当該アクションを進めるための操作ボタンを表示するようにしているので、採用企業の担当者は、当該操作ボタンを選択するだけで、次のアクション（例えば、メッセージ送信）に必要な画面の提示を受けることができ、採用に向けた取り組みを進めることができる。
【００６０】
以上説明したように、本発明の一実施形態によれば、以下の効果が奏される。
【００６１】
本発明の実施形態に係るサーバ装置等によれば、採用企業の端末装置から検索に係るリクエストを受け付け、求職者の採用企業に対する条件適合率を算出し、この算出された条件適合率に基づいて、採用企業の採用条件に合致する求職者を選定し、この選定した求職者の情報を含むデータを生成し、このデータを採用企業の端末装置に送信するので、検索要求をした採用企業に合致した求職者を入札候補として提示することができるので、採用企業側は、簡易かつ的確に入札対象者を選定できるようになる。
【００６２】
また、本発明の実施形態に係るサーバ装置等によれば、採用企業の端末装置からの入札に係るリクエストを受付け、面接設定中、面接中、最終条件提示中、及び内定を含むステータスを管理し、これらステータスを可視化するデータを生成し、この可視化するデータを採用企業の端末装置に送信するので、入札後の進捗に係るステータスを的確に管理、提示することができるので、採用企業側の経過管理を簡便化することができる。
【００６３】
また、入札情報には、採用企業の端末装置で任意に定め入力された項目に係る定性的な情報も含まれているので、採用企業側のアピールポイント等を明確に伝える入札を行うことができ、成約率の向上を図ることが可能となる。
【００６４】
さらに、採用企業の端末装置による入札の入札期間も管理しており、入札期間が経過すると、システム側からは、「入札期間が終了したからその後の対応をしてください」という旨のお知らせに係る電子メールが双方に送られる。その後、双方でメッセージのやり取りを実施することが可能となる。従って、例えば、就職先が決定していない求職者に対して効果的な交渉を行うことを可能ならしめる。
【００６５】
以上のほか、求職者の端末装置でのキャリアシートの作成に際して、予め体系的に定められた入力項目を選定し、提示することで、入力の簡便化を図ることもできる。
【００６６】
以上、本発明の一実施形態について説明したが、本発明はこれに限定されることなくその趣旨を逸脱しない範囲で種々の改良・変更が可能であることは勿論である。
【００６７】
例えば、前述した実施形態では、入札情報にて高い自由度の下、設定できる情報として求職者へのアピールポイントを設定できるようにしていたが、入札情報で設定可能な自由度の高い情報は、これらに限定されず、定量的、定性的な各種情報を設定することができることは勿論である。
【符号の説明】
【００６８】
１…サーバ装置、２…求職者の端末装置、３…採用企業の端末装置、４…ネットワーク、１１…制御部、１１ａ…受付部、１１ｂ…入札処理部、１１ｃ…条件適合率算出部、１１ｄ…選定部、１１ｅ…生成部、１１ｆ…送信部、１１ｇ…管理部、１１ｈ…入力支援部、１２…通信部、１３…記憶部、１４…求職者情報記憶部、１５…採用企業情報記憶部、１６…入札情報記憶部、２１…制御部、２１ａ…受信部、２１ｂ…送信部、２１ｃ…閲覧部、２２…通信部、２３…操作部、２４…表示部、２５…記憶部。
【図１】
2020126399.tif 000003
【図２】
2020126399.tif 000004
【図３】
2020126399.tif 000005
【図４】
2020126399.tif 000006
【図５】
2020126399.tif 000007
【図６】
2020126399.tif 000008
【図７】
2020126399.tif 000009
【図８】
2020126399.tif 000010
【図９】
2020126399.tif 000011
【図１０】
2020126399.tif 000012
【図１１】
2020126399.tif 000013
【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
求職者の端末装置及び採用企業の端末装置と通信するサーバ装置であって、
前記採用企業の端末装置による入札を処理する入札処理部と、
前記入札に係る入札情報、求職者情報、ステータス情報を少なくとも記憶する記憶部と、
前記入札の進捗状況に係る前記ステータス情報を管理する管理部と、
前記採用企業の端末装置から検索に係るリクエストを受け付ける受付部と、
前記採用企業の採用条件に合致する求職者を選定する選定部と、
前記選定した求職者の情報を含むデータを生成する生成部と、
前記データを前記採用企業の端末装置に送信する送信部と、を備え、
前記受付部は、前記採用企業の端末装置からの入札に係るリクエストを受付け、前記管理部は、面接設定中、面接中、最終条件提示中、及び内定を含む前記ステータス情報を管理し、前記生成部は、前記ステータス情報を可視化するデータを生成し、前記送信部は前記可視化するデータを前記採用企業の端末装置に送信し、
前記受付部は、前記採用企業の端末装置からの前記ステータス情報の更新に係るリクエストを受付け、前記管理部は、前記リクエストに応じて前記ステータス情報を更新し管理し、
前記管理部は、前記ステータス情報として、面接依頼、又は入札に対して、未対応未読、未対応既読、承諾、辞退、期限切れを更に管理しており、さらに前記採用企業の端末装置による入札の入札期間も管理しており、前記送信部は、前記入札期間が経過すると、入札を行い前記求職者から辞退されていない企業による求職者へのその後の対応を促す電子メールを送信する
サーバ装置。
【請求項２】
前記記憶部に記憶されている前記入札情報には、前記採用企業の端末装置で任意に定め入力された項目に係る定性的な情報も含まれている
請求項１に記載のサーバ装置。
【請求項３】
前記求職者の端末装置での入力を支援する入力支援部を更に備え、
前記入力支援部は、前記求職者の端末装置でのキャリアシートの作成に際して、前記求職者に好適な選択項目を順次提示する
請求項１又は請求項２に記載のサーバ装置。
【請求項４】
求職者の端末装置と、採用企業の端末装置と、サーバ装置とで構成される人材オークションシステムであって、
前記サーバ装置は、
前記採用企業の端末装置による入札を処理する入札処理部と、
前記入札に係る入札情報、求職者情報、ステータス情報を少なくとも記憶する記憶部と、
前記入札の進捗状況に係る前記ステータス情報を管理する管理部と、
前記採用企業の端末装置から検索に係るリクエストを受け付ける受付部と、
前記採用企業の採用条件に合致する求職者を選定する選定部と、
前記選定した求職者の情報を含むデータを生成する生成部と、
前記データを前記採用企業の端末装置に送信する送信部と、を備え、
前記受付部は、前記採用企業の端末装置からの入札に係るリクエストを受付け、前記管理部は、面接設定中、面接中、最終条件提示中、及び内定を含む前記ステータス情報を管理し、前記生成部は、前記ステータス情報を可視化するデータを生成し、前記送信部は前記可視化するデータを前記採用企業の端末装置に送信し、
前記受付部は、前記採用企業の端末装置からの前記ステータス情報の更新に係るリクエストを受付け、前記管理部は、前記リクエストに応じて前記ステータス情報を更新し管理し、
前記管理部は、前記ステータス情報として、面接依頼、又は入札に対して、未対応未読、未対応既読、承諾、辞退、期限切れを更に管理しており、さらに前記採用企業の端末装置による入札の入札期間も管理しており、前記送信部は、前記入札期間が経過すると、入札を行い前記求職者から辞退されていない企業による求職者へのその後の対応を促す電子メールを送信する
人材オークションシステム。
【請求項５】
前記記憶部に記憶されている前記入札情報には、前記採用企業の端末装置で任意に定め入力された項目に係る定性的な情報も含まれている
請求項４に記載の人材オークションシステム。
【請求項６】
前記サーバ装置は、
前記求職者の端末装置での入力を支援する入力支援部を更に備え、
前記入力支援部は、前記求職者の端末装置でのキャリアシートの作成に際して、前記求職者に好適な選択項目を順次提示する
請求項４又は請求項５に記載の人材オークションシステム。
【請求項７】
求職者の端末装置と、採用企業の端末装置と、サーバ装置とで構成される人材オークションシステムによる人材オークション方法であって、
前記サーバ装置が、
前記採用企業の端末装置による入札を処理し、
前記入札に係る入札情報、求職者情報、ステータス情報を少なくとも記憶し、
前記入札の進捗状況に係る前記ステータス情報を管理し、
前記採用企業の端末装置から検索に係るリクエストを受け付け、
前記採用企業の採用条件に合致する求職者を選定し、
前記選定した求職者の情報を含むデータを生成し、
前記データを前記採用企業の端末装置に送信し、
前記採用企業の端末装置からの入札に係るリクエストを受付け、面接設定中、面接中、最終条件提示中、及び内定を含む前記ステータス情報を管理し、前記ステータス情報を可視化するデータを生成し、前記可視化するデータを前記採用企業の端末装置に送信し、
前記採用企業の端末装置からの前記ステータス情報の更新に係るリクエストを受付け、前記リクエストに応じて前記ステータス情報を更新し管理し、
前記ステータス情報として、面接依頼、又は入札に対して、未対応未読、未対応既読、承諾、辞退、期限切れを更に管理しており、さらに前記採用企業の端末装置による入札の入札期間も管理しており、前記送信部は、前記入札期間が経過すると、入札を行い前記求職者から辞退されていない企業による求職者へのその後の対応を促す電子メールを送信する
人材オークション方法。
【請求項８】
前記入札情報には、前記採用企業の端末装置で任意に定め入力された項目に係る定性的な情報も含まれている
請求項７に記載の人材オークション方法。
【請求項９】
前記サーバ装置は、
前記求職者の端末装置でのキャリアシートの作成に際して、前記求職者に好適な選択項目を順次提示する
請求項７又は請求項８に記載の人材オークション方法。
【請求項１０】
求職者の端末装置及び採用企業の端末装置と通信するサーバ装置で実行されるプログラムであって、
前記サーバ装置を、
前記採用企業の端末装置による入札を処理する入札処理部と、
前記入札の進捗状況に係るステータス情報を管理する管理部と、
前記採用企業の端末装置から検索に係るリクエストを受け付ける受付部と、
前記採用企業の採用条件に合致する求職者を選定する選定部と、
前記選定した求職者の情報を含むデータを生成する生成部と、
前記データを前記採用企業の端末装置に送信する送信部と、して機能させ、
前記受付部は、前記採用企業の端末装置からの入札に係るリクエストを受付け、前記管理部は、面接設定中、面接中、最終条件提示中、及び内定を含む前記ステータス情報を管理し、前記生成部は、前記ステータス情報を可視化するデータを生成し、前記送信部は前記可視化するデータを前記採用企業の端末装置に送信し、
前記受付部は、前記採用企業の端末装置からの前記ステータス情報の更新に係るリクエストを受付け、前記管理部は、前記リクエストに応じて前記ステータス情報を更新し管理し、
前記管理部は、前記ステータス情報として、面接依頼、又は入札に対して、未対応未読、未対応既読、承諾、辞退、期限切れを更に管理しており、さらに前記採用企業の端末装置による入札の入札期間も管理しており、前記送信部は、前記入札期間が経過すると、入札を行い前記求職者から辞退されていない企業による求職者へのその後の対応を促す電子メールを送信する
プログラム。
【請求項１１】
前記入札情報には、前記採用企業の端末装置で任意に定め入力された項目に係る定性的な情報も含まれている
請求項１０に記載のプログラム。
【請求項１２】
前記サーバ装置は、
前記求職者の端末装置での入力を支援する入力支援部としても機能し、
前記入力支援部は、前記求職者の端末装置でのキャリアシートの作成に際して、前記求職者に好適な選択項目を順次提示する
請求項１０又は請求項１１に記載のプログラム。
【手続補正２】
【補正対象書類名】明細書
【補正対象項目名】００１０
【補正方法】変更
【補正の内容】
【００１０】
上記課題を解決するために、本発明の第１の態様に係るサーバ装置は、求職者の端末装置及び採用企業の端末装置と通信するサーバ装置であって、前記採用企業の端末装置による入札を処理する入札処理部と、前記入札に係る入札情報、求職者情報、ステータス情報を少なくとも記憶する記憶部と、前記入札の進捗状況に係る前記ステータス情報を管理する管理部と、前記採用企業の端末装置から検索に係るリクエストを受け付ける受付部と、前記採用企業の採用条件に合致する求職者を選定する選定部と、前記選定した求職者の情報を含むデータを生成する生成部と、前記データを前記採用企業の端末装置に送信する送信部と、を備え、前記受付部は、前記採用企業の端末装置からの入札に係るリクエストを受付け、前記管理部は、面接設定中、面接中、最終条件提示中、及び内定を含む前記ステータス情報を管理し、前記生成部は、前記ステータス情報を可視化するデータを生成し、前記送信部は前記可視化するデータを前記採用企業の端末装置に送信し、前記受付部は、前記採用企業の端末装置からの前記ステータス情報の更新に係るリクエストを受付け、前記管理部は、前記リクエストに応じて前記ステータス情報を更新し管理し、前記管理部は、前記ステータス情報として、面接依頼、又は入札に対して、未対応未読、未対応既読、承諾、辞退、期限切れを更に管理しており、さらに前記採用企業の端末装置による入札の入札期間も管理しており、前記送信部は、前記入札期間が経過すると、入札を行い前記求職者から辞退されていない企業による求職者へのその後の対応を促す電子メールを送信する。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
本発明の第２の態様に係る人材オークションシステムは、求職者の端末装置と、採用企業の端末装置と、サーバ装置とで構成される人材オークションシステムであって、前記サーバ装置は、前記採用企業の端末装置による入札を処理する入札処理部と、前記入札に係る入札情報、求職者情報、ステータス情報を少なくとも記憶する記憶部と、前記入札の進捗状況に係る前記ステータス情報を管理する管理部と、前記採用企業の端末装置から検索に係るリクエストを受け付ける受付部と、前記採用企業の採用条件に合致する求職者を選定する選定部と、前記選定した求職者の情報を含むデータを生成する生成部と、前記データを前記採用企業の端末装置に送信する送信部と、を備え、前記受付部は、前記採用企業の端末装置からの入札に係るリクエストを受付け、前記管理部は、面接設定中、面接中、最終条件提示中、及び内定を含む前記ステータス情報を管理し、前記生成部は、前記ステータス情報を可視化するデータを生成し、前記送信部は前記可視化するデータを前記採用企業の端末装置に送信し、前記受付部は、前記採用企業の端末装置からの前記ステータス情報の更新に係るリクエストを受付け、前記管理部は、前記リクエストに応じて前記ステータス情報を更新し管理し、前記管理部は、前記ステータス情報として、面接依頼、又は入札に対して、未対応未読、未対応既読、承諾、辞退、期限切れを更に管理しており、さらに前記採用企業の端末装置による入札の入札期間も管理しており、前記送信部は、前記入札期間が経過すると、入札を行い前記求職者から辞退されていない企業による求職者へのその後の対応を促す電子メールを送信する。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
本発明の第３の態様に係る人材オークション方法は、求職者の端末装置と、採用企業の端末装置と、サーバ装置とで構成される人材オークションシステムによる人材オークション方法であって、前記サーバ装置が、前記採用企業の端末装置による入札を処理し、前記入札に係る入札情報、求職者情報、ステータス情報を少なくとも記憶し、前記入札の進捗状況に係る前記ステータス情報を管理し、前記採用企業の端末装置から検索に係るリクエストを受け付け、前記採用企業の採用条件に合致する求職者を選定し、前記選定した求職者の情報を含むデータを生成し、前記データを前記採用企業の端末装置に送信し、前記採用企業の端末装置からの入札に係るリクエストを受付け、面接設定中、面接中、最終条件提示中、及び内定を含む前記ステータス情報を管理し、前記ステータス情報を可視化するデータを生成し、前記可視化するデータを前記採用企業の端末装置に送信し、前記採用企業の端末装置からの前記ステータス情報の更新に係るリクエストを受付け、前記リクエストに応じて前記ステータス情報を更新し管理し、前記ステータス情報として、面接依頼、又は入札に対して、未対応未読、未対応既読、承諾、辞退、期限切れを更に管理しており、さらに前記採用企業の端末装置による入札の入札期間も管理しており、前記送信部は、前記入札期間が経過すると、入札を行い前記求職者から辞退されていない企業による求職者へのその後の対応を促す電子メールを送信する。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
本発明の第４の態様に係るプログラムは、求職者の端末装置及び採用企業の端末装置と通信するサーバ装置で実行されるプログラムであって、前記サーバ装置を、前記採用企業の端末装置による入札を処理する入札処理部と、前記入札の進捗状況に係るステータス情報を管理する管理部と、前記採用企業の端末装置から検索に係るリクエストを受け付ける受付部と、前記採用企業の採用条件に合致する求職者を選定する選定部と、前記選定した求職者の情報を含むデータを生成する生成部と、前記データを前記採用企業の端末装置に送信する送信部と、して機能させ、前記受付部は、前記採用企業の端末装置からの入札に係るリクエストを受付け、前記管理部は、面接設定中、面接中、最終条件提示中、及び内定を含む前記ステータス情報を管理し、前記生成部は、前記ステータス情報を可視化するデータを生成し、前記送信部は前記可視化するデータを前記採用企業の端末装置に送信し、前記受付部は、前記採用企業の端末装置からの前記ステータス情報の更新に係るリクエストを受付け、前記管理部は、前記リクエストに応じて前記ステータス情報を更新し管理し、前記管理部は、前記ステータス情報として、面接依頼、又は入札に対して、未対応未読、未対応既読、承諾、辞退、期限切れを更に管理しており、さらに前記採用企業の端末装置による入札の入札期間も管理しており、前記送信部は、前記入札期間が経過すると、入札を行い前記求職者から辞退されていない企業による求職者へのその後の対応を促す電子メールを送信する。
【手続補正９】
【補正対象書類名】明細書
【補正対象項目名】００１７
【補正方法】削除
【補正の内容】
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
求職者の端末装置及び採用企業の端末装置と通信するサーバ装置であって、
前記採用企業の端末装置による入札を処理する入札処理部と、
前記入札に係る入札情報、求職者情報、ステータス情報を少なくとも記憶する記憶部と、
前記入札の進捗状況に係る前記ステータス情報を管理する管理部と、
前記採用企業の端末装置から検索に係るリクエストを受け付ける受付部と、
前記採用企業の採用条件に合致する求職者を選定する選定部と、
前記選定した求職者の情報を含むデータを生成する生成部と、
前記データを前記採用企業の端末装置に送信する送信部と、を備え、
前記受付部は、前記採用企業の端末装置からの入札に係るリクエストを受付け、前記管理部は、面接設定中、面接中、最終条件提示中、及び内定を含む前記ステータス情報を管理し、前記生成部は、前記ステータス情報を可視化するデータを生成し、前記送信部は前記可視化するデータを前記採用企業の端末装置に送信し、
前記受付部は、前記採用企業の端末装置からの前記ステータス情報の更新に係るリクエストを受付け、前記管理部は、前記リクエストに応じて前記ステータス情報を更新し管理し、
前記管理部は、前記ステータス情報として、面接依頼、又は入札に対して、未対応未読、未対応既読、承諾、辞退、期限切れを更に管理しており、さらに前記採用企業の端末装置による入札の入札期間も管理しており、前記送信部は、前記入札期間が経過すると、交渉期間に入り、面接依頼を受け付けず、入札を行っており且つ前記求職者から辞退されていない企業のみによる求職者へのその後の対応を促す電子メールを送信する
サーバ装置。
【請求項２】
前記記憶部に記憶されている前記入札情報には、前記採用企業の端末装置で任意に定め入力された項目に係る定性的な情報も含まれている
請求項１に記載のサーバ装置。
【請求項３】
前記求職者の端末装置での入力を支援する入力支援部を更に備え、
前記入力支援部は、前記求職者の端末装置でのキャリアシートの作成に際して、前記求職者に好適な選択項目を順次提示する
請求項１又は請求項２に記載のサーバ装置。
【請求項４】
求職者の端末装置と、採用企業の端末装置と、サーバ装置とで構成される人材オークションシステムであって、
前記サーバ装置は、
前記採用企業の端末装置による入札を処理する入札処理部と、
前記入札に係る入札情報、求職者情報、ステータス情報を少なくとも記憶する記憶部と、
前記入札の進捗状況に係る前記ステータス情報を管理する管理部と、
前記採用企業の端末装置から検索に係るリクエストを受け付ける受付部と、
前記採用企業の採用条件に合致する求職者を選定する選定部と、
前記選定した求職者の情報を含むデータを生成する生成部と、
前記データを前記採用企業の端末装置に送信する送信部と、を備え、
前記受付部は、前記採用企業の端末装置からの入札に係るリクエストを受付け、前記管理部は、面接設定中、面接中、最終条件提示中、及び内定を含む前記ステータス情報を管理し、前記生成部は、前記ステータス情報を可視化するデータを生成し、前記送信部は前記可視化するデータを前記採用企業の端末装置に送信し、
前記受付部は、前記採用企業の端末装置からの前記ステータス情報の更新に係るリクエストを受付け、前記管理部は、前記リクエストに応じて前記ステータス情報を更新し管理し、
前記管理部は、前記ステータス情報として、面接依頼、又は入札に対して、未対応未読、未対応既読、承諾、辞退、期限切れを更に管理しており、さらに前記採用企業の端末装置による入札の入札期間も管理しており、前記送信部は、前記入札期間が経過すると、交渉期間に入り、面接依頼を受け付けず、入札を行っており且つ前記求職者から辞退されていない企業のみによる求職者へのその後の対応を促す電子メールを送信する
人材オークションシステム。
【請求項５】
前記記憶部に記憶されている前記入札情報には、前記採用企業の端末装置で任意に定め入力された項目に係る定性的な情報も含まれている
請求項４に記載の人材オークションシステム。
【請求項６】
前記サーバ装置は、
前記求職者の端末装置での入力を支援する入力支援部を更に備え、
前記入力支援部は、前記求職者の端末装置でのキャリアシートの作成に際して、前記求職者に好適な選択項目を順次提示する
請求項４又は請求項５に記載の人材オークションシステム。
【請求項７】
求職者の端末装置と、採用企業の端末装置と、サーバ装置とで構成される人材オークションシステムによる人材オークション方法であって、
前記サーバ装置が、
前記採用企業の端末装置による入札を処理し、
前記入札に係る入札情報、求職者情報、ステータス情報を少なくとも記憶し、
前記入札の進捗状況に係る前記ステータス情報を管理し、
前記採用企業の端末装置から検索に係るリクエストを受け付け、
前記採用企業の採用条件に合致する求職者を選定し、
前記選定した求職者の情報を含むデータを生成し、
前記データを前記採用企業の端末装置に送信し、
前記採用企業の端末装置からの入札に係るリクエストを受付け、面接設定中、面接中、最終条件提示中、及び内定を含む前記ステータス情報を管理し、前記ステータス情報を可視化するデータを生成し、前記可視化するデータを前記採用企業の端末装置に送信し、
前記採用企業の端末装置からの前記ステータス情報の更新に係るリクエストを受付け、前記リクエストに応じて前記ステータス情報を更新し管理し、
前記ステータス情報として、面接依頼、又は入札に対して、未対応未読、未対応既読、承諾、辞退、期限切れを更に管理しており、さらに前記採用企業の端末装置による入札の入札期間も管理しており、前記送信部は、前記入札期間が経過すると、交渉期間に入り、面接依頼を受け付けず、入札を行っており且つ前記求職者から辞退されていない企業のみによる求職者へのその後の対応を促す電子メールを送信する
人材オークション方法。
【請求項８】
前記入札情報には、前記採用企業の端末装置で任意に定め入力された項目に係る定性的な情報も含まれている
請求項７に記載の人材オークション方法。
【請求項９】
前記サーバ装置は、
前記求職者の端末装置でのキャリアシートの作成に際して、前記求職者に好適な選択項目を順次提示する
請求項７又は請求項８に記載の人材オークション方法。
【請求項１０】
求職者の端末装置及び採用企業の端末装置と通信するサーバ装置で実行されるプログラムであって、
前記サーバ装置を、
前記採用企業の端末装置による入札を処理する入札処理部と、
前記入札の進捗状況に係るステータス情報を管理する管理部と、
前記採用企業の端末装置から検索に係るリクエストを受け付ける受付部と、
前記採用企業の採用条件に合致する求職者を選定する選定部と、
前記選定した求職者の情報を含むデータを生成する生成部と、
前記データを前記採用企業の端末装置に送信する送信部と、して機能させ、
前記受付部は、前記採用企業の端末装置からの入札に係るリクエストを受付け、前記管理部は、面接設定中、面接中、最終条件提示中、及び内定を含む前記ステータス情報を管理し、前記生成部は、前記ステータス情報を可視化するデータを生成し、前記送信部は前記可視化するデータを前記採用企業の端末装置に送信し、
前記受付部は、前記採用企業の端末装置からの前記ステータス情報の更新に係るリクエストを受付け、前記管理部は、前記リクエストに応じて前記ステータス情報を更新し管理し、
前記管理部は、前記ステータス情報として、面接依頼、又は入札に対して、未対応未読、未対応既読、承諾、辞退、期限切れを更に管理しており、さらに前記採用企業の端末装置による入札の入札期間も管理しており、前記送信部は、前記入札期間が経過すると、交渉期間に入り、面接依頼を受け付けず、入札を行っており且つ前記求職者から辞退されていない企業のみによる求職者へのその後の対応を促す電子メールを送信する
プログラム。
【請求項１１】
前記入札情報には、前記採用企業の端末装置で任意に定め入力された項目に係る定性的な情報も含まれている
請求項１０に記載のプログラム。
【請求項１２】
前記サーバ装置は、
前記求職者の端末装置での入力を支援する入力支援部としても機能し、
前記入力支援部は、前記求職者の端末装置でのキャリアシートの作成に際して、前記求職者に好適な選択項目を順次提示する
請求項１０又は請求項１１に記載のプログラム。
【手続補正２】
【補正対象書類名】明細書
【補正対象項目名】００１０
【補正方法】変更
【補正の内容】
【００１０】
上記課題を解決するために、本発明の第１の態様に係るサーバ装置は、求職者の端末装置及び採用企業の端末装置と通信するサーバ装置であって、前記採用企業の端末装置による入札を処理する入札処理部と、前記入札に係る入札情報、求職者情報、ステータス情報を少なくとも記憶する記憶部と、前記入札の進捗状況に係る前記ステータス情報を管理する管理部と、前記採用企業の端末装置から検索に係るリクエストを受け付ける受付部と、前記採用企業の採用条件に合致する求職者を選定する選定部と、前記選定した求職者の情報を含むデータを生成する生成部と、前記データを前記採用企業の端末装置に送信する送信部と、を備え、前記受付部は、前記採用企業の端末装置からの入札に係るリクエストを受付け、前記管理部は、面接設定中、面接中、最終条件提示中、及び内定を含む前記ステータス情報を管理し、前記生成部は、前記ステータス情報を可視化するデータを生成し、前記送信部は前記可視化するデータを前記採用企業の端末装置に送信し、前記受付部は、前記採用企業の端末装置からの前記ステータス情報の更新に係るリクエストを受付け、前記管理部は、前記リクエストに応じて前記ステータス情報を更新し管理し、前記管理部は、前記ステータス情報として、面接依頼、又は入札に対して、未対応未読、未対応既読、承諾、辞退、期限切れを更に管理しており、さらに前記採用企業の端末装置による入札の入札期間も管理しており、前記送信部は、前記入札期間が経過すると、交渉期間に入り、面接依頼を受け付けず、入札を行っており且つ前記求職者から辞退されていない企業のみによる求職者へのその後の対応を促す電子メールを送信する。
【手続補正３】
【補正対象書類名】明細書
【補正対象項目名】００１２
【補正方法】変更
【補正の内容】
【００１２】
本発明の第２の態様に係る人材オークションシステムは、求職者の端末装置と、採用企業の端末装置と、サーバ装置とで構成される人材オークションシステムであって、前記サーバ装置は、前記採用企業の端末装置による入札を処理する入札処理部と、前記入札に係る入札情報、求職者情報、ステータス情報を少なくとも記憶する記憶部と、前記入札の進捗状況に係る前記ステータス情報を管理する管理部と、前記採用企業の端末装置から検索に係るリクエストを受け付ける受付部と、前記採用企業の採用条件に合致する求職者を選定する選定部と、前記選定した求職者の情報を含むデータを生成する生成部と、前記データを前記採用企業の端末装置に送信する送信部と、を備え、前記受付部は、前記採用企業の端末装置からの入札に係るリクエストを受付け、前記管理部は、面接設定中、面接中、最終条件提示中、及び内定を含む前記ステータス情報を管理し、前記生成部は、前記ステータス情報を可視化するデータを生成し、前記送信部は前記可視化するデータを前記採用企業の端末装置に送信し、前記受付部は、前記採用企業の端末装置からの前記ステータス情報の更新に係るリクエストを受付け、前記管理部は、前記リクエストに応じて前記ステータス情報を更新し管理し、前記管理部は、前記ステータス情報として、面接依頼、又は入札に対して、未対応未読、未対応既読、承諾、辞退、期限切れを更に管理しており、さらに前記採用企業の端末装置による入札の入札期間も管理しており、前記送信部は、前記入札期間が経過すると、交渉期間に入り、面接依頼を受け付けず、入札を行っており且つ前記求職者から辞退されていない企業のみによる求職者へのその後の対応を促す電子メールを送信する。
【手続補正４】
【補正対象書類名】明細書
【補正対象項目名】００１４
【補正方法】変更
【補正の内容】
【００１４】
本発明の第３の態様に係る人材オークション方法は、求職者の端末装置と、採用企業の端末装置と、サーバ装置とで構成される人材オークションシステムによる人材オークション方法であって、前記サーバ装置が、前記採用企業の端末装置による入札を処理し、前記入札に係る入札情報、求職者情報、ステータス情報を少なくとも記憶し、前記入札の進捗状況に係る前記ステータス情報を管理し、前記採用企業の端末装置から検索に係るリクエストを受け付け、前記採用企業の採用条件に合致する求職者を選定し、前記選定した求職者の情報を含むデータを生成し、前記データを前記採用企業の端末装置に送信し、前記採用企業の端末装置からの入札に係るリクエストを受付け、面接設定中、面接中、最終条件提示中、及び内定を含む前記ステータス情報を管理し、前記ステータス情報を可視化するデータを生成し、前記可視化するデータを前記採用企業の端末装置に送信し、前記採用企業の端末装置からの前記ステータス情報の更新に係るリクエストを受付け、前記リクエストに応じて前記ステータス情報を更新し管理し、前記ステータス情報として、面接依頼、又は入札に対して、未対応未読、未対応既読、承諾、辞退、期限切れを更に管理しており、さらに前記採用企業の端末装置による入札の入札期間も管理しており、前記送信部は、前記入札期間が経過すると、交渉期間に入り、面接依頼を受け付けず、入札を行っており且つ前記求職者から辞退されていない企業のみによる求職者へのその後の対応を促す電子メールを送信する。
【手続補正５】
【補正対象書類名】明細書
【補正対象項目名】００１６
【補正方法】変更
【補正の内容】
【００１６】
本発明の第４の態様に係るプログラムは、求職者の端末装置及び採用企業の端末装置と通信するサーバ装置で実行されるプログラムであって、前記サーバ装置を、前記採用企業の端末装置による入札を処理する入札処理部と、前記入札の進捗状況に係るステータス情報を管理する管理部と、前記採用企業の端末装置から検索に係るリクエストを受け付ける受付部と、前記採用企業の採用条件に合致する求職者を選定する選定部と、前記選定した求職者の情報を含むデータを生成する生成部と、前記データを前記採用企業の端末装置に送信する送信部と、して機能させ、前記受付部は、前記採用企業の端末装置からの入札に係るリクエストを受付け、前記管理部は、面接設定中、面接中、最終条件提示中、及び内定を含む前記ステータス情報を管理し、前記生成部は、前記ステータス情報を可視化するデータを生成し、前記送信部は前記可視化するデータを前記採用企業の端末装置に送信し、前記受付部は、前記採用企業の端末装置からの前記ステータス情報の更新に係るリクエストを受付け、前記管理部は、前記リクエストに応じて前記ステータス情報を更新し管理し、前記管理部は、前記ステータス情報として、面接依頼、又は入札に対して、未対応未読、未対応既読、承諾、辞退、期限切れを更に管理しており、さらに前記採用企業の端末装置による入札の入札期間も管理しており、前記送信部は、前記入札期間が経過すると、交渉期間に入り、面接依頼を受け付けず、入札を行っており且つ前記求職者から辞退されていない企業のみによる求職者へのその後の対応を促す電子メールを送信する。